(57)【要約】      （修正有）【課題】床としての機能を有し、床冷暖房効率を向上させることができる超薄型床冷暖房パネルを提供する。【解決手段】平面状の上部プレート９と扁平状の流体通路を有する下部プレート１２との間に流体を導入出させる口金１４を挟んだ状態で接合する。流体を導入する雄ネジ型の導入口１５ａとパネル内部に導入された流体を導出する雌ネジ型の導出口を複数個設けることで流体の流量を確保でき薄型にできた。また導入出口を交互に接続し敷設でき循環ポンプの圧力が均一になるためパネルの変形を防止する。パネル本体の下部プレート１２には流体通路を分ける堰があり、上部プレート９と下部プレート１２の堰を溶接にて接合することで耐荷重構造となる。敷設したパネルどうしの間にプレートを載せることで隙間をなくし床としての機能を果すため、新たに床を敷設しないため熱伝導率が格段に向上することができる。【選択図】図７
2009092366.tif 000002
【特許請求の範囲】
【請求項１】
上部平面プレート９の外周部９ｂと加熱流体が流れる流体通路を有した下部プレート１２の外周部１２ｂとを接合するとともに、加熱流体を取入れる口金１４を上下両プレートの間に挟み口金１４の外周部を接合したことを特徴とする床冷暖房パネル
【請求項２】
下部プレート１２をプレス形成する時に流体通路間に堰１３を形成することで、上部平面プレート９と下部プレート１２を接合したとき、堰１３が上部プレートと接地することで薄型耐荷重構造を特徴とし、床冷暖房を必要とする部分に床冷暖房パネル７を敷設することができるため、床冷暖房パネル７の上に改めて床を敷設しなくてもカーペットを敷くだけでいいことを特徴とする床冷暖房パネル
【請求項３】
請求項１において口金１４を複数個有することでパネルの厚みを一般に販売されている床の厚み１２ｍｍに合せても加熱流体の流量を確保することができることを特徴とする床冷暖房パネル
【請求項４】
下部プレート１２に形成溝１０の底面を内部側に湾曲させることで循環ポンプ６の圧力や、加熱流体の膨張に伴うパネルの変形を防止することを特徴とする床冷暖房パネル
【発明の詳細な説明】
【技術分野】
【０００１】  本発明は建物の床に用いられれる冷温水床冷暖房パネルに関する
【背景技術】
【０００２】  一般に最も普及している床冷暖房装置は不凍液を加熱し配管内を循環ポンプ６を利用し不凍液を循環させている配管型床暖房装置がある。構造は配管を埋設できるよう予め敷説するパネルに配管の溝が掘ってありその溝に沿って配管を埋設し仕上げに床を敷設している。【０００３】  ところが、上記従来の床暖房装置では床と配管の接地面積が１〜２ｍｍ程度と少なく床の厚みも厚く床に十分な熱量が伝わる時間が掛るため冷暖房効率が低いという問題があった。このため、冬期では朝起きて暖房装置を起動させても床全体が暖まるまでに数時間も掛ってしまい、暖まった頃には出勤や通学で家には誰もいない状態になっているために電源を入れていない人もいる。また電源を切ってしまうと上記のような問題がおこるため２４時間電源を入れた状態の方がいますが、床に十分な熱が伝わらないために床暖房の熱を維持する場合には、連続して長時間運転をしなければならず、燃料の使用量があまりにも多く暖房経費が高いという問題があります。
それは同時にボイラーの燃焼時間も長くなるのでＣＯ２の排出面でも地球温暖化に対しても問題であります。【０００４】さらに上記床冷暖房装置は、既存の住宅に設置する場合、床をはぐり床冷暖房装置を敷設し再度床を敷設しなければならない問題があります。
【発明の開示】
【発明が解決しようとする課題】
【０００５】本発明は従来の技術に存する問題点を解決し、床暖房を効率的かつ確実に温められることができるよう電源を入れてから３〜５分程度で床とパネルが同時に温まることでボイラーの運転時間が短縮となり結果、ＣＯ２の排出量を抑えることができるため既存の床冷暖房システムで使用する燃料消費量を１／１０以下に抑えることができる床暖房装置を提供することにある【０００６】上記問題点を解決するために、請求項１に記載の発明は、上部平面状プレートの外周部と冷温水が流れる溝を有した下部プレートの外周部をシーム溶接１１により接合することで下部プレートの流体通路が確立されていることを要旨とする。【０００７】請求項２に記載の発明は、冷温水が流れる溝を有した下部プレートはプレス形成加工がしてある。また流体通路間にはパネルの変形を防止する堰１３が設けられています。そのため上部プレートと下部プレートを接合することで強度が増し耐荷重構造となり重量物がパネルの上部に設置されたとしても変形しないため、パネルの上に新たに床を敷設することを不要とし、床としての機能を兼ね備えたパネルである事を要旨とする。【０００８】請求項３に記載の発明は上記パネル構造について床としての機能を有することで床冷暖房が不要な箇所については市販の床１２ｍｍを敷設するためパネルの厚みを抑えなければならず、厚みを抑える構造では冷温水を取入れる配管の管径が小さくなるため、冷温水の流量が制限される。
そこで流量を確保する為の口金１４を上下プレート間に設けることで口金に設けてある複数の取入れ口より冷温水を確保することができる薄型のパネルであることを要旨とする【０００９】以下、本発明を具体化した床冷暖房装置の一実施形態を図面に従って説明する。
この床冷暖房パネル７を構成する上部プレート９は図６に示すように例えば厚さ寸法０．５ｍｍ〜１．０ｍｍの鋼板により平面視、扁平長四角形状に形成されている。また、下部プレート１２は図６に示すように例えば厚さ寸法０．５ｍｍ〜１．０ｍｍの鋼板により平面視扁平長四角形に形成され、上部プレート９と下部プレート１２を重ね合わせ両プレートの接合部９ｂ・１２ｂは平面視扁平長２編をシーム溶接部１１により内外をシールする状態で接合されている。
また図５で示すように上部プレート９と下部プレート１２の間に口金部１４を挟み断面視扁平長四角形状の上部プレート９と口金部１４の接合部９ａ・１４ａ下部プレート１２と口金部１４の接合部１２ａ・１４ｂ・１２ｃ・１４ｃの接触部を断面視四角環状を溶接により接合されている。【００１０】図３に示すように下部プレート１２には扁平の溝１０が蛇行するように予めプレス機により絞り形成されている。この蛇行溝１０を形成する２条のＬ字状の堰１３が形成され上部プレート９と下部プレート１２の堰１３が接触する部分をスポット溶接部１７により複数箇所で連結されている。【００１１】前記により床冷暖房パネル７の内部は、図６で示すように断面視により溝１０で、図３で示すように溝１０は扁平状の流体通路が蛇行するように形成されているため流体が整流されている。また図６で示すように下部プレート１２の溝１０の底面は請求項４に記載の発明のようにプレス形成に加工により湾曲している。【００１２】図２に示すように配管よりパネルに流体を送水するために、パネルの取入れる口金に合せた送水口金１６を設置する。送水口金１６には雄ネジ型１５ａと雌ネジ型１５ｂがある。【００１３】図７に示すように、床冷暖房パネル７には冷温水などの流体を導入・導出するために口金１４を必要とする。図５で示すように口金１４には複数個の流体導入口１５ａ・流体導出口１５ｂが形成されている。
口金部１４を上部プレート９と下部プレート１２の間に挟み溶接加工する前に、図７に示すように口金部１４に雄ネジ型のニップル部１５ａを挿入したままの状態で口金部１４をプレス加工する。プレス形成された口金部１４は雄ネジ型ニップル部１５ａにテーパー部１５ｃが絞り形成され一体型となり、口金部１４ｂとニップルテーパー部１５ｃは接触され両接合部１４ｂ・１５ｃの外周の環状を電機溶接することにより接合されている。【００１４】前記に示すように口金部１４には外周部からの流体を導入するための口金と流体を内部から導出するための口金に分かれており流体導出口のニップル部は雄ネジ型のニップル部１５ｂとし、前記同様の加工法によりプレス加工する。プレス形成された口金部１４にはニップル部１５ｂにテーパー部１５ｃが絞り形成され一体型となり口金部１４ｂとニップルテーパー部１５ｃは接触され両接合部１４ｂ・１５ｃの外周の環状を電機溶接することにより接合されている。【００１５】前記に示した導入口１５ａおよび導出口１５ｂは図２で示すように床冷暖房パネル７を敷設するときに床冷暖房パネル７の導出口１５ｂと床冷暖房パネル７ａの導入口１５ａを接合し敷設していくものとする。【００１６】パネル本体を設置する場合、パネル本体を固定させるためのパネル固定用穴１９ａが複数箇所形成されている。この穴は図４で示すようにパネル本体と本体の間に根太などを敷設し釘１９などの固定用ネジを用いて固定する【００１７】前記に示した固定方法により敷設固定された床冷暖房パネル７はパネル間に隙間があくため、隙間を無くすための蓋２０を設置する。
設置する蓋２０には蓋がずれないための固定穴２０ａが形成されパネル本体７には、図７に示すように蓋を載せるための段差９ｂが形成されており更に図５で示すようにパネル本体７には蓋を固定させるための固定用ネジ穴が形成されておりパネル本体７を敷設し固定後、蓋２０を設置固定する。
【図面の簡単な説明】
【００１８】
【図１】比較対照とする既存の床暖房パネル断面図
【図２】発明の床冷暖房パネル数枚を敷設した状態の平面図
【図３】床冷暖房用パネルの一部省略平面図
【図４】床冷暖房用パネルを固定した状態の横断面図
【図５】床冷暖房用パネルを斜めから見た全体図
【図６】床冷暖房用パネル中央部分の横断面図
【図７】床冷暖房用パネルの一部省略縦断面図
【符号の説明】
【００１９】    ２２・・・冷熱源装置
【図１】
2009092366.tif 000003
【図２】
2009092366.tif 000004
【図３】
2009092366.tif 000005
【図４】
2009092366.tif 000006
【図５】
2009092366.tif 000007
【図６】
2009092366.tif 000008
【図７】
2009092366.tif 000009